(57)【要約】【課題】結束後の３６０度回転するフック部分に巻き付くように付着している結束線を、回転軸の回転にブレーキをかけるように制御して回転軸と、グリップが連動するように固着させることにより、取り外しを容易にしょうとするものである。【解決手段】内部に回転軸２を有した筒状のグリップ３側を後部側として水平方向に側面視すれば、その反対側に位置して回転軸２に連結され延設ずるように設けられた前部側４がグリップ３を境として下方へ向かって傾斜して、円錐状に形成された先端部分がさらに真下方向へと折れ曲がって、結束線を引っ掛けれるように、鷲の口先のようなフック形状５に形成されて、先端部分にフック形状５を有した前部側４がグリップ３を中心として、円を描いて回転するように構成されたハッカー工具１の、前部側４とグリップ３側との境目部分の回転軸２部の外周部に、リング形状に形成された制御部６を回転軸２と連動して回転するように、ピン９を打ち込んで固定して設けて、回転軸２と共に回転するリング形状の制御部（６）を直接に指先等を押し当てて、その押加減により回転軸２の回転を制御しょうとするものである。【選択図】　図１
2004044337.tif 000002
【特許請求の範囲】
【請求項１】
複数の鉄筋等の結束に用いるＵの字型に折り曲げられて複数本束ねられた細い金属線を使用する場合に用いる結束線結束工具（１）であって、内部に回転軸（２）を有した筒状のグリップ（３）側を後部側として水平方向に側面視すれば、その反対側に位置して回転軸（２）に連結され延設するように設けられた前部側（４）がグリップ（３）を境として下方へ向かって傾斜して、円錐状に形成された先端部分がさらに真下方向へと折れ曲がって、結束線を引っ掛けれるようにフック形状（５）に形成されて、先端部分にフック形状（５）を有した前部側（４）がグリップ（３）を中心として、円を描いて回転するように構成された結束線結束工具（１）の回転軸（２）の回転を制御しょうと、回転軸又はグリップに制御部（６）を設けたことを特徴とする結束線結束具。
【請求項２】
制御部（６）は、リング形状に形成されたたものを、回転軸（２）と連動して回転するようにグリップ（３）の一端、又は両端側の回転軸（２）部分の外周部に固定して設けて、回転軸（２）と連動して回転するリング形状の制御部（６）を直接に指先等を押し当てて、その押加減により回転軸（２）の回転を制御するようにして設けた請求項１記載の結束線結束具。
【請求項３】
制御部（６ａ）は、グリップ（３）の外側に設けて、外部より指先等で圧力を加えると内部に突出して回転軸（２）と接触して、押し加減により回転を制御してグリップ（３）と回転軸（２）とを固着することができるようにして設けた請求項１記載の結束線結束工具。
【発明の詳細な説明】
【０００１】
【発明の属する技術分野】
この発明は、主に複数の鉄筋等を結束するのに用いる場合の工具として使用される結束線結束工具であり、通称ハッカーと称される工具に関するもので、以下ハッカーと称する。
【０００２】
【従来の技術】
従来より、回転を制御する機能を有したものは皆無である。結束後にハッカーを結束線より取り外す場合、結束線は先端の円錐形状の３６０度回転するフック部分に強く巻き付くように付着している。この場合、状況により簡単に外れない場合があり煩わしさを感じることがある。というのも、結束しょうとフック部分に結束線を引っ掛けて、グリップを手にして円を描くようにすればフック部分を有してグリップ部分の境目より折り曲げられた、くの字型形状のハッカー工具は、フック部分を中心として、グリップ内に納まった軸が回転する。そのような構造上のためにフック部分とグリップ部分は固定されておらず、それぞれが独立した動きをするために外そうと、ある方向にグリップを動かせても同方向に連動しなくて、ギクシャクするような感じで外し難い場合がある。
【０００３】
【発明が解決しょうとする課題】
そこで、結束後の３６０度回転するフック部分に巻き付くように付着している結束線を、回転軸の回転にブレーキをかけるように制御して回転軸と、グリップが連動するように固着させることにより、取り外しを容易にしょうとするものである。
【０００４】
【課題を解決するための手段】
回転する回転軸を直接に指先等を押し当てて、その押加減により必要に応じて回転軸の回転を制御しょうと、グリップの一端、又は両端側の回転軸部分の外周部に指先等で押さえることのできるリング形状の制御部を回転軸と連動して回転するように回転軸に固定して設けた。
【０００５】
他の方法として、ハッカー工具のグリップの外側に外部より指先等で圧力を加えると内部に突出して回転軸と接触して、押し加減により回転を制御してグリップと回転軸とを固着することができるように、グリップの外側に制御部を設けた。
【０００６】
【発明の実施の形態】
第一実施例図１より、内部に回転軸２を有した筒状のグリップ３側を後部側として水平方向に側面視すれば、その反対側に位置して回転軸２に連結され延設ずるように設けられた前部側４がグリップ３を境として下方へ向かって傾斜して、円錐状に形成された先端部分がさらに真下方向へと折れ曲がって、結束線を引っ掛けれるように、鷲の口先のようなフック形状５に形成されて、先端部分にフック形状５を有した前部側４がグリップ３を中心として、円を描いて回転するように構成されたハッカー工具１の、前部側４とグリップ３側との境目部分の回転軸２部の外周部に、リング形状に形成された制御部６を回転軸２と連動して回転するように、ピン９を打ち込んで固定して設けて、回転軸２と共に回転するリング形状の制御部（６）を直接に指先等を押し当てて、その押加減により回転軸２の回転を制御しょうとするものである。
【０００７】
又、後部側７の軸止め８部分にも同様に、リング状の制御部６を回転軸２と連動するように固定して設けて、グリップ３の両端側にリング状の制御部６を設けてもよい。両端側にもうけることにより、指先のみならず、手の平でも制御することができるようになる。尚、この場合は後部側の制御部６は、軸止めも兼ねる。
【０００８】
第二実施例として図３より、他の回転軸制御方法として、ハッカー工具１のグリップ３の外側に外部より指先等で圧力を加えると内部に突出して回転軸２と接触して、押し加減により回転を制御してグリップ３と回転軸２とを固着することができるようにした押しボタン式の制御部６ａをグリップ３に設けた。
【０００７】
【発明の効果】
３６０度回転する、軸の回転を固着するように制御することにより、結束後にフック部分に強く巻き付くように付着している結束線からの取り外しが容易で、従来技術のようなギクシャクした煩わしさを感じることなく、作業に集中することができ、簡単な構成ではあるが効果は絶大である。
【０００８】
【図面の簡単な説明】
【図１】第一実施例の側面図である。
【図２】第一実施例の正面図である。
【図３】第二実施例の側面図である。
【図４】第二実施例のＡ．Ｂ間においての断面の平面図である。
【符号の説明】
１　　結束線結束具
２　　回転軸
３　　筒状のグリップ
４　　結束線結束具の前部側を示す
５　　結束線を引っ掛けるフック部分
６　　回転軸に固定して設けたリング形状の制御部
６ａ　グリップに設けた押しボタン式の制御部
７　　結束線結束具の後部側を示す
８　　回転軸止め
９　　リング形状の制御部を回転軸に固定する打ち込みピン
１０　　軸受メタル
Ａ−Ｂ　断面位置を示す
【図１】
2004044337.tif 000003
【図２】
2004044337.tif 000004
【図３】
2004044337.tif 000005
【図４】
2004044337.tif 000006